(57)【特許請求の範囲】
【請求項１】
第１レンズと第２レンズとの相対位置を調整することによって、光ピックアップ装置の光学系の球面収差を調整する光学調整装置であって、
第１レンズを保持し、略Ｃ字状の案内部を有する第１レンズホルダと、
第２レンズを保持し、周方向１カ所に外方へ突出する凸部が形成され、第１レンズホルダの案内部に嵌まり込み、案内部の周方向両端部によって、凸部の周方向両端部が案内されて、第１レンズホルダに対して変位自在に設けられる第２レンズホルダと、
駆動源と、
駆動源によって回転駆動されるねじ状部材と、
第２レンズホルダに設けられ、ねじ状部材に噛合する係止部が形成される連結部材とを含む光学調整装置であって、
前記連結部材は、その長手方向一端部に設けられる前記係止部と、長手方向他端部に設けられかつ第２レンズホルダに支持される突起部とを有し、
第１レンズホルダと第２レンズホルダとの相対位置を調整するとき、連結部材の突起部と第１レンズホルダとが摺動することを特徴とする光学調整装置。
【請求項２】
前記連結部材は、弾発的にねじ状部材に当接することを特徴とする請求項１記載の光学調整装置。
【請求項３】
第１レンズホルダは、案内部のうち前記凸部の周方向両端部に当接する部分を含み、周方向両端部は周方向一端部および他端部を含み、前記当接する部分は、これら周方向一端部側および他端部側の少なくともいずれか一方に突出する曲面形状を成すことを特徴とする請求項１記載の光学調整装置。
【請求項４】
第２レンズホルダは、第１レンズホルダに摺動される摺動部分であって周方向両端部を除く摺動部分を含み、
摺動部分のうち、第１レンズホルダに対して変位する変位方向一端部および他端部と、前記変位方向に直交する仮想平面を成す第２レンズホルダの基端部および他端部の半径方向外周側の外周縁部との成す部分が曲面形状に形成されることを特徴とする請求項１記載の光学調整装置。
【請求項５】
第２レンズホルダは、第１レンズホルダに摺動される摺動部分であって周方向両端部を除く摺動部分を含み、
摺動部分には潤滑剤が塗布されることを特徴とする請求項１記載の光学調整装置。
【請求項６】
第２レンズホルダは、第１レンズホルダに摺動される摺動部分であって周方向両端部を除く摺動部分を含み、
摺動部分には、摺動摩擦を軽減する被膜処理が施されることを特徴とする請求項１記載の光学調整装置。
【請求項７】
連結部材には、連結部材の係止部が、ねじ状部材から離脱することを防止する離脱防止部が設けられることを特徴とする請求項１記載の光学調整装置。
【請求項８】
離脱防止部は、対向するように配置される一対の係止部を含み、
これら一対の係止部が、ねじ状部材を挟持するようにして、ねじ状部材に噛合することを特徴とする請求項７記載の光学調整装置。
【請求項９】
離脱防止部は、係止部に連接し、係止部に対向する位置まで延びてねじ状部材を囲繞するように形成される囲い部を含むことを特徴とする請求項７記載の光学調整装置。
【請求項１０】
第１レンズホルダには、第２レンズホルダに対する相対位置を検知する位置センサが設けられ、第２レンズホルダには、前記位置センサで検知可能な被検知部が設けられることを特徴とする請求項１記載の光学調整装置。
【請求項１１】
被検知部は、連結部材に一体形成されていることを特徴とする請求項１０記載の光学調整装置。
【請求項１２】
請求項１〜１１のいずれか１つに記載の光学調整装置を備えることを特徴とする光ピックアップ装置。
【発明の詳細な説明】
【技術分野】
【０００１】
本発明は、光ピックアップ装置の光学系の球面収差を調整する光学調整装置および光学調整装置を備える光ピックアップ装置に関する。
【背景技術】
【０００２】
情報の記録方式として磁気記録方式が多用されてきたけれども、情報の記録容量増大の要求に応えて、光を情報の記録および再生に用いる光記録方式が用いられるに至っている。情報の記録および再生に光を用いる光記録媒体は、書換え可能および媒体交換可能という利点を持つ大容量の記録媒体であり、コンパクトディスク（略称：ＣＤ）およびそのファミリーディスク、ならびにデジタルバーサタイルディスク（略称：ＤＶＤ）およびそのファミリーディスクなど、多種の規格に基づくものがある。
【０００３】
光記録媒体は、磁気記録方式の記録媒体に比べて記録容量が大きい記録媒体であるけれども、このような光記録媒体において、さらなる高記録密度化および大容量化が求められるようになっている。
【０００４】
光記録媒体に情報を記録する処理および光記録媒体の情報を再生する処理の少なくともいずれか一方の処理をする情報記録再生装置の光学系においては、記録信号の高密度化を図るために、光記録媒体の情報記録面上に集光する光スポット径を小さくすることが求められる。光スポット径を小さくするために、対物レンズの開口率（略称：ＮＡ）を高くするとともに、光源である半導体レーザ素子から発せられるレーザ光の波長を短波長化する手法が採られている。
【０００５】
しかし、対物レンズの球面収差は、対物レンズのＮＡの４乗と光記録媒体の光学的透明層の厚み寸法とに比例して大きくなるので、レーザ光のスポット径を小さくするために対物レンズのＮＡを高くすると、ＮＡが低い対物レンズと比較して球面収差が大きくなるという問題が発生する。たとえば、多用されている対物レンズのＮＡは０．６程度であるけれども、対物レンズのＮＡを０．６よりも高く、具体的には０．８以上０．９未満とした場合、ＮＡが０．６程度の対物レンズと比較して球面収差量は３倍以上５倍未満に増加する。したがって情報記録再生装置に搭載される光ピックアップ装置では、相対位置可変に設けられる２枚の補正レンズの間隔を調整して球面収差を補正するという方法が採られている。
【０００６】
図２３は、従来の技術の光ピックアップ装置１の光学的配置を示す図である。図２４は、従来の技術の光ピックアップ装置１を簡略化して示す斜視図である。光ピックアップ装置１は、不図示の光源である半導体レーザ素子、半導体レーザ素子から発せられる光の光軸Ｌ１上に設けられる凹レンズ２、凸レンズ３、立上げミラー４、対物レンズ５を含み、光記録媒体である光ディスク６に対して、半導体レーザ素子から発せられる光を照射し、光ディスク６に情報を書込んで記録し、また光ディスク６に書込まれた情報を再生する。
【０００７】
図２５は、第１の従来の技術の光学調整装置１０を示す斜視図である。図２６は、光学調整装置１０を示す分解斜視図である。図２７は、光学調整装置１０を示す平面図である。図２８は、光学調整装置１０を示す正面図である。図２８では、ベース４１に載置されるギア収納台４０の第１レンズホルダ側を一部省略して示している。
【０００８】
光学調整装置１０は、光ディスク６の厚み寸法の誤差によって球面収差が発生した場合に、その球面収差を調整する装置である。光学調整装置１０は、光源である半導体レーザ素子と、光を集光する対物レンズ５との間に設けられる。光学調整装置１０は、凹レンズ２と、２枚１群の凸レンズ（以下、単に「凸レンズ」という）３と、凹レンズ２が載置される第２レンズホルダ１１と、凸レンズ３が載置される第１レンズホルダ２０と、凹レンズ２を凸レンズ３に近づける近接方向および凹レンズ２を凸レンズ３から離反させる離反方向である近接離反方向Ａへ第２レンズホルダ１１を案内するガイドシャフト２５と、第２レンズホルダ１１を駆動する駆動源３０と、駆動源３０の駆動力を送りねじ部材３５に伝達する第１減速ギア３１、第２減速ギア３２、第３減速ギア３３および第４減速ギア３４と、第４減速ギア３４と係合する送りねじ部材３５と、送りねじ部材３５と噛合するグリップラック３６とを有する。
【０００９】
第１〜第４減速ギア３１〜３４、送りねじ部材３５および駆動源３０は、ギア収納台４０に組込まれる。さらに、ギア収納台４０および第１レンズホルダ２０は、ベース４１に載置される。
【００１０】
第２レンズホルダ１１は、略直方体状に形成される。第２レンズホルダ１１には、凹レンズ２を載置する凹レンズ載置部１２が形成される。凹レンズ載置部１２は、凹レンズ２の軸線に沿うように、また第２レンズホルダ１１を貫通するように形成されている。第２レンズホルダ１１には、ガイドシャフト２５を挿通するガイド孔１３が形成されている。ガイド孔１３は、凹レンズ２の軸線と平行な方向に延びるように形成されている。
【００１１】
第２レンズホルダ１１の一側面部には、その一側面部から第２レンズホルダ１１の厚み方向および近接離反方向Ａにそれぞれ垂直な方向に突出する案内突起部１４が設けられている。また第２レンズホルダ１１の厚み方向一表面部には、その一表面部から第２レンズホルダ１１の厚み方向一方に突出する第１上面突起部１５および第２上面突起部１６が設けられている。第１上面突起部１５は、グリップラック３６のラック孔３７に嵌入し、また第２上面突起部１６は、グリップラック３２の切り欠き３８に嵌入する。
【００１２】
第１レンズホルダ２０には、凸レンズ３が載置される凸レンズ載置部２１と、ガイドシャフト２５が嵌入する凹部２２およびシャフト孔２３とが形成される。さらに第１レンズホルダ２０には、第２レンズホルダ１１の案内突起部１４と係合し、凸レンズ３の軸線と平行な方向に延びるようにガイド溝２４が形成される。グリップラック３６には、第２レンズホルダ１１の第１上面突起部１５が嵌入するラック孔３７と、第２レンズホルダ１１の第２上面突起部１６が嵌入する切り欠き３８とが形成される。またグリップラック３６は、送りねじ部材３５と噛合する係止部３９を有する。
【００１３】
第１レンズホルダ２０に形成される凹部２２およびシャフト孔２３と、第２レンズホルダ１１に形成されるガイド孔１３とに、ガイドシャフト２５が挿通される。凹部２２、シャフト孔２３およびガイド孔１３は、ガイドシャフト２５が凸レンズ３の軸線と平行になるようにそれぞれ形成される。また第２レンズホルダ１１の案内突起部１４と第１レンズホルダ２０のガイド溝２４とが係合する。
【００１４】
駆動源３０の駆動力は、第１〜第４減速ギア３１〜３４を介して、送りねじ部材３５に伝達され、送りねじ部材３５が回転することによって、送りねじ部材３５と噛合するグリップラック３６が、近接離反方向Ａに変位する。これによってグリップラック３６と係合する第２レンズホルダ１１が、グリップラック３６の変位にともなって、ガイドシャフト２５、および案内突起部１４が係合するガイド溝２４に沿って案内されて、近接離反方向Ａへ変位する。したがって光学調整装置１０では、球面収差が生じた場合に、凹レンズ２が載置される第２レンズホルダ１１を、近接離反方向Ａへ変位させることによって、第１レンズホルダ２０との相対位置を調整し、球面収差を調整することができる。
【００１５】
第２の従来の技術の光学調整装置として、たとえば特許文献１に示される光学調整装置がある。第２の従来の技術の光学調整装置は、駆動手段であるステッピングモータと、レンズホルダと、レンズホルダに設けられ、レンズの光軸方向に平行なガイドレールと、レンズホルダに設けられ、送りねじと噛合するナイフエッジと、ナイフエッジを送りねじに向けて付勢するばねとを有する。第２の従来の技術の光学調整装置では、ステッピングモータの回転に基づいて送りねじが回転され、送りねじと噛み合っているナイフエッジが変位することによって、ガイドレールに沿ってレンズホルダがレンズの光軸方向へ変位し、球面収差を調整することができる。
【００１６】
【特許文献１】特開２００３−４５０６８号公報
【発明の開示】
【発明が解決しようとする課題】
【００１７】
第１の従来の技術の光学調整装置１０では、略直方体状の第２レンズホルダ１１が、第１レンズホルダ２０に設けられており、また第２レンズホルダ１１が、第１レンズホルダ２０に対して変位するために、案内突起部１４およびガイドシャフト２５などの複数のガイドが設けられている。したがって部品点数の増加、構造の複雑化および装置の大形化を生じるという問題がある。またグリップラック３６は、第２レンズホルダ１１と送りねじ部材３５とにわたって設けられ、グリップラック３６の係止部３９は、送りねじ部材３５と噛合されているだけなので、外部からの衝撃などによって噛合状態が解除され、位置ずれを生じるという問題がある。
【００１８】
第２の従来の技術の光学調整装置では、ナイフエッジが、ばねによって送りねじに押付けられることによって、位置ずれなく噛合されて、レンズホルダをレンズの光軸方向へ変位させることができるが、複数のガイドレールを要し、部品点数の増加、構造の複雑化および装置の大形化を生じる。
【００１９】
本発明の目的は、簡単な構成で高精度に球面収差を補正することができる光学調整装置およびそれを備える光ピックアップ装置を提供することである。また本発明の他の目的は、第２レンズホルダを第１レンズホルダに対して位置ずれなく変位させ、さらに部品点数を減らし、装置の簡素化および小形化を実現することができる光学調整装置を提供することである。
【課題を解決するための手段】
【００２０】
本発明は、第１レンズと第２レンズとの相対位置を調整することによって、光ピックアップ装置の光学系の球面収差を調整する光学調整装置であって、
第１レンズを保持し、略Ｃ字状の案内部を有する第１レンズホルダと、
第２レンズを保持し、周方向１カ所に外方へ突出する凸部が形成され、第１レンズホルダの案内部に嵌まり込み、案内部の周方向両端部によって、凸部の周方向両端部が案内されて、第１レンズホルダに対して変位自在に設けられる第２レンズホルダと、
駆動源と、
駆動源によって回転駆動されるねじ状部材と、
第２レンズホルダに設けられ、ねじ状部材に噛合する係止部が形成される連結部材とを含む光学調整装置であって、
前記連結部材は、その長手方向一端部に設けられる前記係止部と、長手方向他端部に設けられかつ第２レンズホルダに支持される突起部とを有し、
第１レンズホルダと第２レンズホルダとの相対位置を調整するとき、連結部材の突起部と第１レンズホルダとが摺動することを特徴とする光学調整装置である。
また本発明は、前記連結部材は、弾発的にねじ状部材に当接することを特徴とする。
【００２１】
また本発明は、第１レンズホルダは、案内部のうち前記凸部の周方向両端部に当接する部分を含み、周方向両端部は周方向一端部および他端部を含み、前記当接する部分は、これら周方向一端部側および他端部側の少なくともいずれか一方に突出する曲面形状を成すことを特徴とする。
【００２２】
また本発明は、第２レンズホルダは、第１レンズホルダに摺動される摺動部分であって周方向両端部を除く摺動部分を含み、
摺動部分のうち、第１レンズホルダに対して変位する変位方向一端部および他端部と、前記変位方向に直交する仮想平面を成す第２レンズホルダの基端部および他端部の半径方向外周側の外周縁部との成す部分が曲面形状に形成されることを特徴とする。
【００２３】
また本発明は、第２レンズホルダは、第１レンズホルダに摺動される摺動部分であって周方向両端部を除く摺動部分を含み、
摺動部分には潤滑剤が塗布されることを特徴とする。
【００２４】
また本発明は、第２レンズホルダは、第１レンズホルダに摺動される摺動部分であって周方向両端部を除く摺動部分を含み、
摺動部分には、摺動摩擦を軽減する被膜処理が施されることを特徴とする。
【００２６】
また本発明は、連結部材には、連結部材の係止部が、ねじ状部材から離脱することを防止する離脱防止部が設けられることを特徴とする。
【００２７】
また本発明は、離脱防止部は、対向するように配置される一対の係止部を含み、
これら一対の係止部が、ねじ状部材を挟持するようにして、ねじ状部材に噛合することを特徴とする。
【００２８】
また本発明は、離脱防止部は、係止部に連接し、係止部に対向する位置まで延びてねじ状部材を囲繞するように形成される囲い部を含むことを特徴とする。
【００２９】
また本発明は、第１レンズホルダには、第２レンズホルダに対する相対位置を検知する位置センサが設けられ、第２レンズホルダには、前記位置センサで検知可能な被検知部が設けられることを特徴とする。
また本発明は、被検知部は、連結部材に一体形成されていることを特徴とする。
【００３０】
また本発明は、前記光学調整装置を備えることを特徴とする光ピックアップ装置である。
【発明の効果】
【００３３】
本発明によれば、周方向１カ所に外方へ突出する凸部が形成されている第２レンズホルダが、第１レンズホルダの略Ｃ字状の案内部に嵌まり込むように設けられ、第２レンズホルダの凸部の周方向両端部が、第１レンズホルダの案内部の周方向両端部によって案内される。また連結部材が、第２レンズホルダに設けられ、さらに連結部材に設けられる係止部が、ねじ状部材と噛合するように設けられる。これによって駆動源の駆動力が、ねじ状部材を介して連結部材に伝達することができ、連結部材が変位することによって、第２レンズホルダが変位し、第２レンズホルダが、第１レンズホルダの略Ｃ字状の案内部に沿って変位することができる。したがって複数のガイドを要することなく、第２レンズホルダを第１レンズホルダに対して変位させることができ、簡単な構成で光学調整装置を実現することができ、光ピックアップ装置の光学系の球面収差を調整することができる。また光学調整装置の簡素化および小形化を実現することができる。
また連結部材は、その長手方向一端部に設けられる係止部と、長手方向他端部に設けられ、かつ第２レンズホルダに支持される突起部とを有する。第１レンズホルダと第２レンズホルダとの相対位置を調整するとき、連結部材の突起部と第１レンズホルダとが摺動する。これによって摺動負荷の多くは、連結部材の突起部と、突起部が摺動する第１レンズホルダとの間で負担され、第１レンズホルダと第２レンズホルダとの摺動部分の摺動負荷を軽減することができる。
また第２レンズホルダに設けられる連結部材の係止部は、ねじ状部材に噛合され、突起部は第２レンズホルダに支持されるので、第１レンズホルダと第２レンズホルダとの相対位置を調整し、第２レンズホルダが第１レンズホルダの案内部に案内されるとき、第２レンズホルダが第１レンズホルダの案内部に片当たりすることを防ぐことができる。これによって第１レンズホルダと第２レンズホルダとの摺動負荷を軽減することができる。
【００３４】
また本発明によれば、連結部材は、弾発的にねじ状部材に当接することができ、連結部材の係止部とねじ状部材とを噛合することができる。したがって駆動源の駆動力によって、ねじ状部材が回転駆動して、連結部材が変位する場合において、連結部材は、ねじ状部材の回転にともなって変位することができる。したがって外部からの衝撃などによってねじ状部材と連結部材との噛合状態が解除され、位置ずれが生じることを防止することができる。また連結部材とねじ状部材との間に摩擦力が生じて、各部材が損傷することを防ぐことができ、信頼性の高い光学調整装置を実現することができる。換言すると、連結部材が移動するときの負荷を一定にすることができ、負荷増減による動作の不具合を回避することができる。
【００３５】
また駆動源の駆動力が、ねじ状部材を介して連結部材に伝達され、連結部材は、ねじ状部材の回転にともなって変位することができ、第２レンズホルダを第１レンズホルダに対して変位させて、光ピックアップ装置の光学系の球面収差を調整することができる。
【００３６】
また本発明によれば、第１レンズホルダの案内部のうち、第２レンズホルダに形成される凸部の周方向一端部および他端部は、周方向一端部側および他端部側の少なくともいずれか一方に突出する曲面形状に形成される。これによって第１レンズホルダと第２レンズホルダとの相対位置を調整するとき、第１レンズホルダと第２レンズホルダとが当接して摺動する部分の面積を小さくして摺動摩擦を小さくすることができるので、前記摺動する部分における摺動負荷を軽減することができる。したがって第１レンズホルダと第２レンズホルダとを高精度に位置決めすることができ、高精度に球面収差を調整、換言すると高精度に球面収差を補正することが可能になる。
【００３７】
また本発明によれば、第２レンズホルダの摺動部分のうち、第１レンズホルダに対して変位する変位方向一端部および他端部と、変位方向に直交する仮想平面を成す第２レンズホルダの基端部および他端部の半径方向外周側の外周縁部との成す部分が曲面形状に形成される。これによって第１レンズホルダと第２レンズホルダとの相対位置を調整するとき、第１レンズホルダと第２レンズホルダとが当接して摺動する摺動部分の面積を小さくして摺動摩擦を小さくすることができるので、摺動部分における摺動負荷を軽減することができる。したがって第１レンズホルダと第２レンズホルダとを高精度に位置決めすることができ、高精度に球面収差を調整、換言すると高精度に球面収差を補正することが可能になる。
【００３８】
また本発明によれば、第２レンズホルダの摺動部分には、潤滑剤が塗布される。これによって第１レンズホルダと第２レンズホルダとの相対位置を調整するとき、第１レンズホルダと第２レンズホルダとが当接して摺動する摺動部分の摺動摩擦を小さくすることができるので、摺動部分における摺動負荷を軽減することができる。したがって第１レンズホルダと第２レンズホルダとを高精度に位置決めすることができ、高精度に球面収差を調整、換言すると高精度に球面収差を補正することが可能になる。
【００３９】
また本発明によれば、第２レンズホルダの摺動部分には、摺動摩擦を軽減する被膜処理が施される。これによって第１レンズホルダと第２レンズホルダとの相対位置を調整するとき、第１レンズホルダと第２レンズホルダとが当接して摺動する摺動部分の摺動摩擦を小さくすることができるので、摺動部分における摺動負荷を軽減することができる。したがって第１レンズホルダと第２レンズホルダとを高精度に位置決めすることができ、高精度に球面収差を調整、換言すると高精度に球面収差を補正することが可能になる。
【００４２】
また本発明によれば、連結部材に、連結部材の係止部が、ねじ状部材から離脱することを防止する離脱防止部を設けることによって、連結部材の係止部とねじ状部材とが離脱することを防止することができる。換言すると、係止部とねじ状部材との噛合状態が解除されてしまうことを防止することができる。したがって、連結部材が装着されるレンズホルダに対して駆動力を伝達できなくなるという不具合、すなわち球面収差の調整、換言すると球面収差の補正ができなくなるという不具合の発生を防止することができる。
【００４３】
また本発明によれば、対向するように配置される一対の係止部が、ねじ状部材を挟持するようにして、ねじ状部材に噛合する。これによって係止部が、ねじ状部材から離脱することを防止することができる。換言すると、係止部とねじ状部材との噛合状態が解除されてしまうことを防止することができる。これによって、連結部材が装着されるレンズホルダに対して駆動力を伝達できなくなるという不具合、すなわち球面収差の調整、換言すると球面収差の補正ができなくなるという不具合の発生を防止することができる。
【００４４】
また本発明によれば、離脱防止部は、係止部に連接し、係止部に対向する位置まで延びてねじ状部材を囲繞するように形成される囲い部を含んで構成される。これによって係止部が、ねじ状部材から離脱することを確実に防止することができる。これによって、連結部材が装着されるレンズホルダに対して駆動力を伝達できなくなるという不具合、すなわち球面収差の調整、換言すると球面収差の補正ができなくなるという不具合の発生を確実に防止することができる。
【００４５】
また本発明によれば、第１レンズホルダには、第２レンズホルダに対する相対位置を検知する位置センサが設けられる。第２レンズホルダには、位置センサで検知可能な被検知部が設けられる。したがって位置センサによって、被検知部の位置を検知することによって、第２レンズホルダの第１レンズホルダに対する相対位置を検知することができる。これによって、たとえば第２レンズホルダの初期位置を検知して、その初期位置から第２レンズホルダを移動させるなどして球面収差を調整、換言すると球面収差を補正することが可能となる。
【００４６】
また本発明によれば、第２レンズホルダに設けられる被検知部は、連結部材に一体に形成される。これによって光学調整装置における部品点数を低減することができ、光学調整装置の簡素化および小形化を実現することができる。
【００４７】
また本発明によれば、光学調整装置を備える光ピックアップ装置では、光学調整装置に設けられる駆動源の駆動力が、ねじ状部材および連結部材を介して第２レンズホルダに伝達される。これによって第２レンズホルダが、第１レンズホルダに対して変位することができるので、第１レンズと第２レンズとの相対位置を調整することができ、光学系の球面収差を調整、換言すると球面収差を補正することができる光ピックアップ装置を実現することができる。
【発明を実施するための最良の形態】
【００５１】
以下に、本発明を実施するための複数の形態について説明する。各形態において、先行する形態で説明している事項に対応する部分については同一の参照符を付し、重複する説明を省略する場合がある。構成の一部のみを説明している場合、構成の他の部分は、先行して説明している形態と同様とする。
【００５２】
図１は、本発明の第１の実施の形態の光学調整装置５０を示す斜視図である。光学調整装置５０は、光ディスクの厚み寸法の誤差によって球面収差が発生した場合に、その球面収差を調整する装置である。光学調整装置５０は、光源である半導体レーザ素子と、立上げミラー５３を介して光を集光する対物レンズ５４との間の光経路の中途部に設けられる。光学調整装置５０は、第２レンズである凹レンズ５１と、２枚１群の第１レンズである凸レンズ（以下、単に「凸レンズ」という）５２と、凹レンズ５１を保持する第２レンズホルダ６４と、凸レンズ５２を保持する第１レンズホルダ７３と、ねじ状部材である送りねじ部材８０と、送りねじ部材８０と係合する第４減速ギア７９と、連結部材であるグリップラック８１とを有する。
【００５３】
図２は、光学調整装置５０を示す分解斜視図である。第１レンズホルダ７３は、凸レンズ５２を保持する保持部６７を有している。保持部６７は板状である。保持部６７には、その厚み方向に貫通する孔部６６が形成されている。さらに孔部６６には、凸レンズ５２が嵌まり込んでいる。その保持部６７から凸レンズ５２の軸線に沿って延びるように、案内部６８が形成されている。案内部６８は、軸線に垂直な断面を有し、その断面の形状が一様な略Ｃ字状に形成されている。また保持部６７に形成される孔部６６の軸線と、案内部６８の軸線とが一致するように、保持部６７および案内部６８が形成されている。
【００５４】
案内部６８は、基部６９と、基部６９の両端部からそれぞれ立上るように構成される立上がり部７０と、各立上がり部７０の先端から互いに近づく方向に突出する突出部７１とを有している。また案内部６８は、内周面が、略円筒状に形成されており、その空間は、突出部７１間を介して外部に開放されるように構成されている。突出部７１間の距離は、案内部６８の直径よりも小さく構成されている。また立上がり部７０には、凹み溝７２が、案内部６８の軸線と平行に一様に延びて形成されている。
【００５５】
第２レンズホルダ６４は、円筒状の本体部５６の周方向一カ所に、外方に突出する凸部５７を有している。本体部５６には、凹レンズ５１が嵌まり込んでおり、ねじ孔６１にねじ部材６２などが係合することによって凹レンズ５１が固定される。第２レンズホルダ６４は、本体部５６に嵌まり込んでいる凹レンズ５１の軸線と平行に延びるように形成されている。また凸部５７も、本体部５６に沿うように、軸線方向に延びて形成されている。凸部５７には、凸部５７から突出する第１上面突起部５８および第２上面突起部５９が設けられている。
【００５６】
第２レンズホルダ６４の本体部５６の外径は、第１レンズホルダ７３の案内部６８の内径よりわずかながら小さくなるように設計されている。この第２レンズホルダ６４は、本体部５６が、第１レンズホルダ７３の案内部６８に嵌まり込む。また凸部５７が、第１レンズホルダ７３の各突出部７１間に嵌まり込み、本体部５６が、案内部６８によって、軸線に垂直な方向の変位が阻止される状態で、軸線に沿って案内される。さらに凸部５７は、案内部６８の突出部７１間に嵌まり込み、凸部５７の周方向両端部６３が、案内部６８の突出部７１間によって支持されることによって、軸線周りの回転が阻止される状態で、軸線方向に案内される。
【００５７】
また第２レンズホルダ６４の本体部５６の軸線方向の長さ寸法は、第１レンズホルダ７３の案内部６８の軸線方向の長さ寸法よりも短くなるように形成されている。したがって第２レンズホルダ６３は、第１レンズホルダ７３の案内部６８に嵌まり込んでいる状態で、凹レンズ５１を凸レンズ５２に近づける近接方向および凹レンズ５１を凸レンズ５２から離反させる離反方向（以下、単に「近接離反方向Ｘ」という場合がある）に変位することができる。このようにして、第２レンズホルダ６４は、第１レンズホルダ７３に沿って案内されるので、凹レンズ５１と凸レンズ５２との相対位置を調整することができる光学調整装置５０を実現することができる。
【００５８】
グリップラック８１には、第２レンズホルダ６４の第１上面突起部５８が嵌入するラック孔８２と、第２レンズホルダ６４の第２上面突起部５９が嵌入する切り欠き８３とが形成されている。またグリップラック８１は、送りねじ部材８０に噛合する係止部８４を有する。またグリップラック８１は、弾発的に送りねじ部材に当接する山形に曲がる山形部８５を有するように形成されている。グリップラック８１が、山形部８５を有することによって、グリップラック８１に、送りねじ部材８０に近づく方向へ押圧力が与えられると、グリップラック８１は、弾発的に変形する。またグリップラック８１は、量産性を考慮して金型にて製作される。
【００５９】
図３は、光学調整装置５０を示す平面図である。図４は、光学調整装置５０を示す正面図である。図４では、ベース８８に載置されるギア収納台８７の第１レンズホルダ７３側を一部省略して示している。本実施の形態において、近接離反方向Ｘおよび第１レンズホルダ７３の厚み方向にそれぞれ垂直な方向を「Ｙ軸方向」と定義する。図３および図４において、Ｙ軸方向を「Ｙ」と表記する。
【００６０】
光学調整装置５０は、さらに第２レンズホルダ６４を駆動する駆動源７５と、駆動源７５の駆動力を送りねじ部材８０に伝達する第１減速ギア７６、第２減速ギア７７、第３減速ギア７８および第４減速ギア７９とを有する。また第１〜第４減速ギア７６〜７９、送りねじ部材８０および駆動源７５は、ギア収納台８７に組込まれる。さらに、ギア収納台８７および第１レンズホルダ７３は、ベース８８に載置される。
【００６１】
たとえば電動機によって構成される駆動源７５の駆動力は、第１〜第４減速ギア７６〜７９を介して、送りねじ部材８０に伝達され、送りねじ部材８０が回転することによって、送りねじ部材８０と噛合するグリップラック８１が、近接方向および離反方向である近接離反方向Ｘに変位する。グリップラック８１のラック孔８２および切り欠き８３は、第２レンズホルダ６４の第１上面突起部５８および第２上面突起部５９が嵌入するように設けられているので、グリップラック８１が近接離反方向Ｘへ変位すると、第２レンズホルダ６４の第１上面突起部５８および第２上面突起部５９に、近接離反方向Ｘへ変位する力が与えられる。これによって第２レンズホルダ６４が、第１レンズホルダ７３の案内部６８に沿って近接離反方向Ｘへ変位する。したがって光学調整装置５０では、球面収差が生じる場合に、凹レンズ５１を保持する第２レンズホルダ６４を、近接離反方向Ｘへ変位させることによって、第１レンズホルダ７３との相対位置を調整し、球面収差を調整、換言すると球面収差を補正することができる。
【００６２】
前述のように本実施の形態によれば、周方向１カ所に外方へ突出する凸部５７が形成されている第２レンズホルダ６４が、第１レンズホルダ７３の略Ｃ字状の案内部６８に嵌まり込むように設けられ、第２レンズホルダ６４の凸部５７の周方向両端部６３が、第１レンズホルダ７３の案内部６８の周方向両端部によって案内される。またグリップラック８１が、第１および第２レンズホルダ７３，６４のいずれか一方、本実施の形態では第２レンズホルダ６４に設けられ、さらにグリップラック８１に設けられる係止部８４が、送りねじ部材８０と噛合するように設けられる。
【００６３】
これによって駆動源７５の駆動力が、送りねじ部材８０を介してグリップラック８１に伝達することができ、グリップラック８１が変位することによって、第１および第２レンズホルダ７３，６４のいずれか一方、本実施の形態では第２レンズホルダ６４が変位し、第２レンズホルダ６４が、第１レンズホルダ７３の略Ｃ字状の案内部６８に沿って変位することができる。したがって複数のガイドを要することなく、第２レンズホルダ６４を第１レンズホルダ７３に対して変位させることができ、簡単な構成で光学調整装置５０を実現することができ、光ピックアップ装置の光学系の球面収差を調整、換言すると球面収差を補正することができる。また光学調整装置５０の簡素化および小形化を実現することができる。
【００６４】
また本実施の形態によれば、グリップラック８１は山形部８５を有しているので、グリップラック８１に、送りねじ部材８０に近づく方向へ押圧力が与えられると、弾発的に変形して送りねじ部材８０に当接することができる。これによって、グリップラック８１の係止部８４と送りねじ部材８０とを噛合することができる。したがって駆動源７５の駆動力によって、送りねじ部材８０が回転駆動して、グリップラック８１が変位する場合において、グリップラック８１は、送りねじ部材８０の回転にともなって変位することができる。したがって外部からの衝撃などによって送りねじ部材８０とグリップラック８１との噛合状態が解除され、位置ずれが生じることを防止することができる。
【００６５】
またグリップラック８１と送りねじ部材８０との間に摩擦力が生じて、各部材が損傷することを防ぐことができ、信頼性の高い光学調整装置５０を実現することができる。換言すると、グリップラック８１が移動するときの負荷を一定にすることができ、負荷増減による動作の不具合を回避することができる。
【００６６】
また駆動源７５の駆動力が、送りねじ部材８０を介してグリップラック８１に伝達され、グリップラック８１は、送りねじ部材８０の回転にともなって変位することができ、第２レンズホルダ６４を第１レンズホルダ７３に対して相対変位させて、光ピックアップ装置の光学系の球面収差を調整、換言すると球面収差を補正することができる。
【００６７】
次に、球面収差を調整するときの第２レンズホルダ６４の位置調整について説明する。光学調整装置５０は、さらにフォトインタラプタ９０および遮蔽板９１を有する。フォインタラプタ９０は、発光部および受光部を有する光センサである。フォトインタラプタ９０は、第１レンズホルダ７３のＹ軸方向一端部に設けられる。遮蔽板９１は、フォトインタラプタ９０で検知可能な被検知部であり、第２レンズホルダ６４に設けられる。遮蔽板９１は、フォトインタラプタ９０とＹ軸方向に間隔をあけて設けられる。本実施の形態の遮蔽板９１は、グリップラック８１に一体形成される。フォトインタラプタ９０は、光反射型のフォトインタラプタであり、発光ダイオード（Light Emitting Diode；略称：ＬＥＤ）によって構成される発光部およびフォトダイオードによって構成される受光部を含む。
【００６８】
フォトインタラプタ９０は、発光部から光を発し、第２レンズホルダ６４に設けられる遮蔽板９１または第１レンズホルダ７３で反射した光を受光部で受光する。受光部は、受光した光に基づいて電気信号を検出する。フォトインタラプタ９０は、受光部によって検出される電気信号に基づいて、第１レンズホルダ７３の第２レンズホルダ６４に対する相対位置を検知する位置センサとして機能する。
【００６９】
図５は、情報記録再生装置１３５の構成を簡略化して示すブロック図である。情報記録再生装置１３５は、光学調整装置５０、記憶部１３６および制御部１３７を含む。光学調整装置５０は、フォトインタラプタ９０および駆動源７５を含む。記憶部１３６には、球面収差を調整するための制御プログラムが記憶されている。制御部１３６は、記憶部１３６に記憶されている制御プログラムに従って、第１レンズホルダ７３に対する第２レンズホルダ６４の相対位置を変位させて、光学系の球面収差を調整するように、光学調整装置５０を制御する。
【００７０】
フォトインタラプタ９０は、受光部によって検出される電気信号を制御部１３７に与える。制御部１３７は、フォトインタラプタ９０から与えられる電気信号に基づいて、第２レンズホルダ６４の第１レンズホルダ７３に対する相対位置を把握し、球面収差が最小となる第２レンズホルダ６４の第１レンズホルダ７３に対する相対位置を算出する。制御部１３７は、算出した相対位置に第２レンズホルダ６４を移動させるための電気信号を、光学調整装置５０の駆動源７５に与える。
【００７１】
図６は、第２レンズホルダ６４の位置調整に関する制御部１３７の処理手順を示すフローチャートである。本処理は、光学調整装置５０を備える情報記録再生装置１３５に電源が投入されるか、または光ディスクが入れ換えられたときに繰返し実行される。本処理は、制御部１３７によって実行される。
【００７２】
ステップａ１では、フォトインタラプタ９０の受光部から与えられる電気信号に基づいて、第２レンズホルダ６４を、前記電気信号の出力が変化する位置に相当する初期位置ＳＰへ移動させるための指令を表す信号（以下、単に「初期移動指令信号」という）を、光学調整装置５０の駆動源７５に与える。これによって駆動源７５は、制御部１３７から与えられる初期移動指令信号に従って、駆動力を送りねじ部材８０に伝達する。これによって送りねじ部材８０が回転して、送りねじ部材８０と噛合するグリップラック８１が、近接離反方向Ｘに変位する。これによってグリップラック８１が装着されている第２レンズホルダ６４が、第１レンズホルダ７３の案内部６８に沿って近接離反方向Ｘへ変位して、初期位置ＳＰに移動する。第２レンズホルダ６４が初期位置ＳＰに移動すると、ステップａ２に進む。
【００７３】
ステップａ２では、第２レンズホルダ６４が、近接離反方向一方Ｘ１、すなわち第２レンズホルダ６４が第１レンズホルダ７３に近接する方向へ移動させるための指令を表す信号（以下、単に「近接移動指令信号」という）を駆動源７５に与える。駆動源７５は、制御部１３７から与えられる近接移動指令信号に従って、駆動力を送りねじ部材８０に伝達する。これによって第２レンズホルダ６４を近接離反方向一方Ｘ１へ移動させる。第２レンズホルダ６４が近接離反方向一方Ｘ１に移動すると、ステップａ３に進む。
【００７４】
ステップａ３では、第２レンズホルダ６４が近接離反方向一方Ｘ１に移動し、初期位置ＳＰに戻るまでの間に電気信号を検出させるための指令を表す信号（以下、単に「近接信号検出指令信号」という）をフォトインタラプタ９０に与える。フォトインタラプタ９０は、制御部１３７から与えられる近接信号検出指令信号に従って、発光部から光を発し、受光部で反射光を受光して電気信号を検出する。受光部で検出された電気信号は、制御部１３７を介して記憶部１３６に一時的に記憶される。第２レンズホルダ６４が初期位置ＳＰに戻ると、ステップａ４に進む。
【００７５】
ステップａ４では、近接離反方向他方Ｘ２、すなわち第２レンズホルダ６４が第１レンズホルダ７３から離反する方向へ移動させるための指令を表す信号（以下、単に「離反移動指令信号」という）を駆動源７５に与える。駆動源７５は、制御部１３７から与えられる離反移動指令信号に従って、駆動力を送りねじ部材８０に伝達する。これによって第２レンズホルダ６４を近接離反方向他方Ｘ２へ移動させる。第２レンズホルダ６４が近接離反方向他方Ｘ２に移動すると、ステップａ５に進む。
【００７６】
ステップａ５では、第２レンズホルダ６４が近接離反方向他方Ｘ２に移動し、初期位置ＳＰに戻るまでの間に電気信号を検出させるための指令を表す信号（以下、単に「離反信号検出指令信号」という）をフォトインタラプタ９０に与える。フォトインタラプタ９０は、制御部１３７から与えられる離反信号検出指令信号に従って、発光部から光を発し、受光部で反射光を受光して電気信号を検出する。受光部で検出された電気信号は、制御部１３７を介して記憶部１３６に一時的に記憶される。第２レンズホルダ６４が初期位置ＳＰに戻ると、ステップａ６に進む。
【００７７】
ステップａ６では、記憶部１３６に一時的に記憶された電気信号を読出し、その読出した電気信号に基づいて、球面収差が最小となる第２レンズホルダ６４の位置を算出する。球面収差が最小となる第２レンズホルダ６４の位置が算出されると、ステップａ７に進む。
【００７８】
ステップａ７では、算出した球面収差が最小となる位置へ第２レンズホルダ６４を移動させるための指令を表す信号（以下、単に「移動指令信号」という）を駆動源７５に与える。駆動源７５は、制御部１３７から与えられる移動指令信号に従って、駆動力を送りねじ部材８０に伝達する。これによって第２レンズホルダ６４を、球面収差が最小となる位置へ移動させる。第２レンズホルダ６４が、球面収差が最小となる位置に移動すると、ステップａ８に進む。
【００７９】
ステップａ８では、球面収差が最小であるか否かを判断し、最小であれば本処理を終了し、最小でなければステップａ２に戻り、前述と同様の処理を繰返し行う。
【００８０】
前述のように本実施の形態によれば、フォトインタラプタ９０によって、遮蔽板９１の位置を検知することによって、第２レンズホルダ６４の第１レンズホルダ７３に対する相対位置を検知することができる。これによって、たとえば第２レンズホルダ６４の初期位置ＳＰを検知して、その初期位置ＳＰから第２レンズホルダ６４を、近接離反方向Ｘに移動させるなどして球面収差が最小となるように調整、換言すると球面収差が最小となるように補正することができる。
【００８１】
また第２レンズホルダ６４に設けられる遮蔽板９１を、グリップラック８１に一体形成することによって、光学調整装置５０における部品点数を低減することができ、光学調整装置５０の簡素化および小形化を実現することができる。
【００８２】
図７は、本発明の第２の実施の形態の光学調整装置９３を簡略化して示す正面図である。図８は、図７のセクションＩＸを拡大して示す正面図である。図９は、図７に示す光学調整装置９３を簡略化して示す平面図である。本実施の形態の光学調整装置９３は、第１の実施の形態の光学調整装置５０と構成が類似しているので、同一の構成については同一の参照符を付して説明を省略する。以下の実施の形態において、近接離反方向Ｘおよび第１レンズホルダ７３の厚み方向にそれぞれ垂直な方向を「Ｙ軸方向」と定義する。また、以下の実施の形態の光学調整装置を示す図において、Ｙ軸方向を「Ｙ」と表記する。
【００８３】
光学調整装置９３は、凹レンズ５１と、凸レンズ５２と、凹レンズ５１を保持する第２レンズホルダ６４と、凸レンズ５２を保持する第１レンズホルダ７３と、不図示の駆動源と、駆動源の駆動力が伝達されて回転駆動するねじ状部材に相当する送りねじ部材８０と、送りねじ部材８０と係合する第４減速ギア７９と、連結部材であるグリップラック８１とを有する。グリップラック８１には、第２レンズホルダ３４に装着され、送りねじ部材８０に噛合するように、係止部８４が形成される。光学調整装置９３は、凹レンズ５１を保持する第２レンズホルダ６４と凸レンズ５２を保持する第１レンズホルダ７３との相対位置を調整することによって、光学系の球面収差を調整、換言すると球面収差を補正する場合に用いられる。
【００８４】
送りねじ部材８０は、たとえば、おねじ部材である。送りねじ部材８０は、光学調整装置９３のベース８８に、軸線が凹レンズ５１および凸レンズ５２の光軸Ｌ１１と平行になるように回転可能に支持され、駆動源からの駆動力が伝達されて回転駆動する。
【００８５】
係止部８４は、おねじ部材である送りねじ部材８０に対応して噛合するように、めねじが刻設されためねじ部材である。おねじ部材である送りねじ部材８０が回転駆動することによって、送りねじ部材８０と噛合する係止部８４は、近接離反方向Ｘと平行な方向に直線駆動する。係止部８４が近接離反方向Ｘと平行な方向に直線駆動することによって、係止部８４が形成されるグリップラック８１、さらにグリップラック８１が装着される第２レンズホルダ６４および第２レンズホルダ６４に載置される凹レンズ５１が、近接離反方向Ｘに移動することができる。
【００８６】
第１レンズホルダ７３は、光軸Ｌ１１に対して垂直な断面形状、換言すると近接離反方向Ｘに対して垂直な断面形状が略Ｃ字状に形成される。第１レンズホルダ７３の内部空間を形成する内壁部６８ａと開口部６８ｂが、第２レンズホルダ６４を案内する案内部６８を構成する。第２レンズホルダ６４は、光軸Ｌ１１に対して垂直な断面形状、換言すると近接離反方向Ｘに対して垂直な断面形状が略円形状に形成され、かつ円周方向の一部に半径方向外方に向かって突出する凸部５７が形成される。
【００８７】
第２レンズホルダ６４は、第１レンズホルダ７３の案内部６８に嵌まり込み、特に凸部５７が第１レンズホルダ７３の開口部６８ｂに嵌まり込み、案内部６８で案内されて移動することができるように構成される。前述のように第２レンズホルダ６４には、グリップラック８１が装着され、グリップラック８１が、送りねじ部材８０と係止部８４とを介して伝達される駆動力によって近接離反方向Ｘに駆動することができるので、第２レンズホルダ６４が近接離反方向Ｘに移動することができる。
【００８８】
本実施の形態では、凸レンズ５２を保持する第１レンズホルダ７３の位置は固定であり、凹レンズ５１を保持する第２レンズホルダ６４が近接離反方向Ｘに移動可能に構成される。したがって光学調整装置９３では、第１レンズホルダ７３に対する第２レンズホルダ６４の相対位置を変位させることによって、凹レンズ５１と凸レンズ５２との相対位置を調整し、球面収差を調整、換言すると球面収差を補正することができる。
【００８９】
第１レンズホルダ７３に対する第２レンズホルダ６４の相対位置を変位させるとき、第１レンズホルダ７３の案内部６８と、第２レンズホルダ６４の外周部および凸部５７とが摺動して摺動負荷が発生する。本実施の形態の光学調整装置９３では、図７に示すように、グリップラック８１の係止部８４は、送りねじ部材８０に対して一定の与圧Ｐ１１を負荷する状態で噛合するように設けられる。
【００９０】
したがって与圧Ｐ１１が作用する方向と正反対の方向に、与圧Ｐ１１に対する反力Ｐ１２が作用し、反力Ｐ１２は、特に第２レンズホルダ６４に対しては、光軸Ｌ１１に関して時計まわり方向に作用する。これによって、第２レンズホルダ６４の凸部５７の周方向両端部６３のうち係止部８４から遠い方の周方向両端部６３、換言するとＹ軸方向一方側の周方向両端部（以下、単に「周方向一端部６３ａ」という）と、第１レンズホルダ７３の開口部６８ｂ１とが摺動する摺動部分は、他の摺動部分に比べて摺動負荷が大きくなる傾向にある。ここで、第１レンズホルダ７３の内部空間を形成する開口部は、前記のように参照符「６８ｂ」で示したが、特に周方向一端部６３ａと摺動する第１レンズホルダ７３の開口部を参照符「６８ｂ１」で示す。
【００９１】
図８では、周方向一端部６３ａと、周方向一端部６３ａに当接する第１レンズホルダ７３の開口部６８ｂ１との摺動部分であって、摺動負荷が他の摺動部分に比べて大きくなる摺動部分を、斜線のハッチングを付して示している。本実施の形態の光学調整装置９３において、第２レンズホルダ６４の周方向一端部６３ａに対して当接する第１レンズホルダ７３側の摺動部分である開口部６８ｂ１は、曲率を有する形状いわゆるＲ（アール）を付けるように形成されている。換言すると、開口部６８ｂ１は、Ｙ軸方向他方側、すなわち凸部５７の周方向両端部６３のうちＹ軸方向他方側の周方向両端部であって、係止部８４寄りの周方向両端部（以下、単に「周方向他端部」という）側に突出する曲面形状を成している。
【００９２】
このように第１レンズホルダ７３の開口部６８ｂ１にＲを付ける、換言すると開口部６８ｂ１を曲面形状に形成することによって、本来摺動負荷が大きくなる傾向を示す摺動部分である周方向一端部６３ａと開口部６８ｂ１とにおいて、その摺動負荷を著しく軽減することができる。換言すると、周方向一端部６３ａと開口部６８ｂ１との当接面積を小さくして摺動摩擦を小さくするとともに、開口部６８ｂ１に角部分をなくすことによって、周方向一端部６３ａを傷付けることを防止することができ、また周方向一端部６３ａに対して開口部６８ｂ１が食込むことを防止することができる。これによって前記周方向一端部６３ａと開口部６８ｂ１とが摺動するときの抵抗を小さくすることができ、滑らかな摺動を実現することができる。
【００９３】
第１レンズホルダ７３と第２レンズホルダ６４との相対位置の調整に係る摺動負荷を軽減することによって、その位置決め精度を高くすることができるので、高精度に球面収差を調整、換言すると高精度に球面収差を補正することができる。具体的に述べると、球面収差が最小となるように補正することができる。
【００９４】
本実施の形態では、第２レンズホルダ６４の周方向一端部６３ａに対して当接する第１レンズホルダ７３側の摺動部分である開口部６８ｂ１が、Ｙ軸方向他方側、つまり周方向他端部側に突出する曲面形状に形成される場合について述べたが、このような構成に限定されない。本発明の他の実施の形態では、第２レンズホルダ６４の周方向他端部に対して当接する第１レンズホルダ７３側の摺動部分である開口部６８ｂが、Ｙ軸方向一方側、つまり周方向一端部６３ａ側に突出する曲面形状に形成されてもよい。このように構成される場合でも、前述の第２の実施の形態と同様の効果を得ることができる。
【００９５】
また周方向一端部６３ａに対して当接する第１レンズホルダ７３側の摺動部分である開口部が、Ｙ軸方向他方側に突出する曲面形状に形成され、かつ周方向他端部に対して当接する第１レンズホルダ７３側の摺動部分である開口部が、Ｙ軸方向一方側に突出する曲面形状に形成されてもよい。このように構成することによって、周方向両端部６３と第１レンズホルダ７３の開口部６８ｂとの摺動部分における摺動摩擦を小さくすることができるので、さらに摺動負荷を軽減することができ、さらに滑らかな摺動を実現することができる。
【００９６】
図１０は、本発明の第３の実施の形態の光学調整装置９５を簡略化して示す平面図である。本実施の形態の光学調整装置９５は、第２の実施の形態の光学調整装置９３と構成が類似しているので、同一の構成については同一の参照符を付して説明を省略する。
【００９７】
凹レンズ５１を保持する第２レンズホルダ９７は、光軸Ｌ１１に対して垂直な断面形状、換言すると近接離反方向Ｘに対して垂直な断面形状が略円形状に形成され、かつ円周方向の一部に半径方向外方に向かって突出する凸部が形成される。また第２レンズホルダ９７の全体の外観形状は、大略的に円柱状に形成される。
【００９８】
第１レンズホルダ９６と第２レンズホルダ９７とは、第１レンズホルダ９６の案内部と、第２レンズホルダ９７の外周部および凸部とが摺動して摺動負荷が発生する。第２レンズホルダ９７において、第１レンズホルダ９６の案内部を傷付けたり、案内部に食込んだりして摺動負荷を増大し易い摺動部分は、円柱状に形成される第２レンズホルダ６４の底面部と側面部とで形成されるコーナ部分９８である。本実施の形態の光学調整装置９５では、第２レンズホルダ９７のコーナ部分９８が、曲率を有する形状に、いわゆるＲを有するように形成される。
【００９９】
換言すると第２レンズホルダ９７において、第１レンズホルダ９６に摺動される摺動部分であって周方向両端部を除く摺動部分のうち、第１レンズホルダ９６に対して変位する変位方向一端部および他端部と、変位方向に直交する仮想平面を成す第２レンズホルダ９７の基端部および他端部の半径方向外周側の外周縁部との成す部分が、曲面形状に形成される。前記第２レンズホルダ６４の側面部は、変位方向一端部および他端部に相当し、前記第２レンズホルダ６４の底面部は、前記第２レンズホルダ９７の基端部および他端部に相当する。また変位方向は、近接離反方向Ｘに相当する。
【０１００】
第１レンズホルダ９６と第２レンズホルダ９７との間には、作製時における成形上の寸法公差のばらつきに起因し、組立てたときにクリアランスが生じることがある。図１１は、第１レンズホルダ９６と第２レンズホルダ９７との間にクリアランスが生じたときの光学調整装置９５を示す平面図である。図１１では、クリアランスを若干誇張して模式的に示している。
【０１０１】
第１レンズホルダ９６と第２レンズホルダ９７との間にクリアランスが存在する場合、第２レンズホルダ５２は光軸Ｌ１１に対して平行な方向、換言すると近接離反方向Ｘに円滑な移動をすることができず、光軸Ｌ１１に対して若干の傾斜角αを成して移動する。したがって、第１レンズホルダ９６と第２レンズホルダ９７との相対位置を調整するために、第２レンズホルダ９７を摺動させるとき、第２レンズホルダ９７は光軸Ｌ１１に対して揺れながら移動、換言するとガタツキが生じた状態で移動する。
【０１０２】
このガタツキが生じた状態で、第２レンズホルダ９７を第１レンズホルダ９６の案内部６８に対して摺動させるとき、第２レンズホルダ９７のコーナ部分９８が角部分を有していると、コーナ部分９８が案内部６８を傷付けたり、案内部６８に食い込んだりする。そこで本実施の形態では、前述のように第２レンズホルダ９７のコーナ部分９８が曲率を有する形状に形成している。
【０１０３】
これによって第１レンズホルダ９６に対する第２レンズホルダ９７の相対位置を調整するとき、換言すると第２レンズホルダ９７を第１レンズホルダ９６の案内部６８に対して摺動させるとき、第２レンズホルダ９７のコーナ部分９８によって、第１レンズホルダ９６の案内部６８を傷付けたり案内部６８に食い込んだりすることを防ぐことができ、摺動負荷を軽減することができる。これによって第１レンズホルダ９６と第２レンズホルダ９７とを高精度に位置決めすることができ、高精度に球面収差を調整、換言すると高精度に球面収差を補正することができる。具体的に述べると、球面収差が最小となるように補正することができる。
【０１０４】
図１２は、本発明の第４の実施の形態の光学調整装置１００を簡略化して示す平面図である。図１３は、光学調整装置１００を簡略化して示す正面図である。本実施の形態の光学調整装置１００は、第２の実施の形態の光学調整装置９３と構成が類似しているので、同一の構成については同一の参照符を付して説明を省略する。
【０１０５】
第２レンズホルダ６４に装着されるグリップラック８１は、その係止部８４が送りねじ部材８０に対して一定の与圧Ｐ１１を負荷する状態で噛合するように設けられるので、与圧Ｐ１１に対する反力Ｐ１２が、与圧Ｐ１１が作用する方向と正反対の方向に作用する。反力Ｐ１２は、グリップラック８１が装着される第２レンズホルダ６４に作用し、第２レンズホルダ６４の凸部５７を第１レンズホルダ１０１の開口部６８ｂに対して押圧させる。
【０１０６】
本実施の形態では、グリップラック８１に作用する反力Ｐ１２によって摺動負荷が大きくなる摺動部分であるところの、第２レンズホルダ６４の外周面および係止部８４を臨む側と反対側に位置する周方向一端部６３ａと、第１レンズホルダ１０１の案内部６８におけるＹ軸方向一方側の部分、換言すると第１レンズホルダ１０１の案内部６８における係止部８４から遠い側に位置する部分とで形成される摺動部分１０２に、潤滑剤が塗布される。図１２および図１３では、摺動部分１０２を、斜線のハッチングを付して示している。
【０１０７】
潤滑剤としては、特に限定されるものではないけれども、粘度が低い液体状（セミウェット状）のたとえばフッ素系潤滑剤が好適に用いられる。粘度の低い潤滑剤を用いることによって、毛細管現象を利用して第１レンズホルダ１０１と第２レンズホルダ６４との隙間に潤滑剤を充分に塗布することが可能になる。
【０１０８】
前述のように本実施の形態によれば、第１レンズホルダ１０１と第２レンズホルダ６４とが当接して摺動する摺動部分１０２に潤滑剤を塗布することによって、第１レンズホルダ１０１と第２レンズホルダ６４との相対位置を調整するとき、摺動部分１０２の摺動摩擦を小さくすることができるので、摺動部分１０２における摺動負荷を軽減することができる。したがって第１レンズホルダ１０１と第２レンズホルダ６４とを高精度に位置決めすることができ、高精度に球面収差を調整、換言すると高精度に球面収差を補正することができる。具体的に述べると、球面収差が最小となるように補正することができる。
【０１０９】
本実施の形態では、摺動負荷が大きくなる摺動部分１０２に潤滑剤を塗布するように構成されているけれども、このような構成に限定されない。本発明の他の実施の形態では、第２レンズホルダ６４の外周面および凸部５７の側部と、第１レンズホルダ１０１の案内部６８とで形成される摺動面の全体、換言すると第２レンズホルダ６４における第１レンズホルダ１０１に摺動される部分であって周方向両端部６３を除く部分全体に潤滑剤を塗布するようにしてもよい。このような構成にすることによって、第１レンズホルダ１０１と第２レンズホルダ６４とが当接して摺動する部分の摺動負荷をさらに軽減することができる。これによって、摺動部分１０２のみに潤滑剤を塗布する場合に比べて、第１レンズホルダ１０１と第２レンズホルダ６４とをさらに高精度に位置決めすることができ、さらに高精度に球面収差を調整、換言すると、さらに高精度に球面収差を補正することができる。
【０１１０】
図１４は、本発明の第５の実施の形態の光学調整装置１０５を簡略化して示す正面図である。本実施の形態の光学調整装置１０５は、第４の実施の形態の光学調整装置１００と構成が類似しているので、同一の構成については同一の参照符を付して説明を省略する。
【０１１１】
第２レンズホルダ６４に装着されるグリップラック８１は、その係止部８４が送りねじ部材８０に対して一定の与圧Ｐ１１を負荷する状態で噛合するように設けられるので、与圧Ｐ１１に対する反力Ｐ１２が、与圧Ｐ１１が作用する方向と正反対の方向に作用する。
【０１１２】
本実施の形態では、グリップラック８１に作用する反力Ｐ１２によって摺動負荷が大きくなる摺動部分であるところの、第２レンズホルダ６４の凸部５７における係止部８４を臨む側と反対側に位置する周方向一端部６３ａと、第１レンズホルダ１０１の案内部６８における係止部８４から遠い側に位置する開口部６８ｂ１とで形成される摺動部分１０６に、被膜処理が施される。図１４では、摺動部分１０６を、斜線のハッチングを付して示している。摺動部分１０６に形成される被膜としては、摺動摩擦を軽減する特性を有していればよく、特に限定されるものではないけれども、たとえばフッ素系コーティングが好適に用いられる。
【０１１３】
前述のように本実施の形態によれば、第２レンズホルダ６４の摺動部分１０６に、摺動摩擦を軽減する被膜処理を施すことによって、第１レンズホルダ１０１と第２レンズホルダ６４との相対位置を調整するとき、摺動部分１０６の摺動摩擦を小さくすることができるので、摺動部分１０６における摺動負荷を軽減することができる。したがって第１レンズホルダ１０１と第２レンズホルダ６４とを高精度に位置決めすることができ、高精度に球面収差を調整、換言すると高精度に球面収差を補正することができる。具体的に述べると、球面収差が最小となるように補正することができる。
【０１１４】
本実施の形態では、摺動部分１０６のみに被膜処理を施すように構成されているけれども、このような構成に限定されない。本発明の他の実施の形態では、第２レンズホルダ６４の外周面および凸部５７の側部と、第１レンズホルダ１０１の案内部６８とで形成される摺動面の全体、換言すると第２レンズホルダ６４における第１レンズホルダ１０１に摺動される部分であって周方向両端部６３を除く部分全体に被膜処理を施すようにしてもよい。このような構成にすることによって、第１レンズホルダ１０１と第２レンズホルダ６４とが当接して摺動する部分の摺動負荷をさらに軽減することができる。これによって、摺動部分１０６のみに被膜処理を施す場合に比べて、第１レンズホルダ１０１と第２レンズホルダ６４とをさらに高精度に位置決めすることができ、さらに高精度に球面収差を調整、換言すると、さらに高精度に球面収差を補正することができる。
【０１１５】
図１５は、本発明の第６の実施の形態の光学調整装置１１０を簡略化して示す正面図である。本実施の形態の光学調整装置１１０は、第２の実施の形態の光学調整装置９３と構成が類似しているので、同一の構成については同一の参照符を付して説明を省略する。以下の実施の形態において、近接離反方向ＸおよびＹ軸方向にそれぞれ垂直な方向を「Ｚ軸方向」と定義する。また、以下の実施の形態の光学調整装置を示す図において、Ｚ軸方向を「Ｚ」と表記する。
【０１１６】
本実施の形態のグリップラック１１１は、第２レンズホルダ６４に設けられ、グリップラック１１１の長手方向他一端部、換言するとＹ軸方向他端部に設けられる係止部８４と、グリップラック１１１の長手方向他端部、換言するとＹ軸方向一端部に設けられ、かつ第２レンズホルダ６４に支持される突起部１１３とを有する。
【０１１７】
突起部１１３は、光学調整装置１１０においてＺ軸方向一方、換言するとグリップラック１１１が装着された第２レンズホルダ６４が第１レンズホルダ１１２に案内された状態で、第１レンズホルダ１１２に近接する方向に突出するように、グリップラック１１１に形成される。突起部１１３の光軸Ｌ１１に対する垂直な断面形状、換言すると近接離反方向Ｘに垂直な断面形状は、第１レンズホルダ１１２に当接する側が半円形状になるように形成される。突起部１１３は、金属製のグリップラック１１１を、たとえばプレス成形することによって形成される。
【０１１８】
突起部１１３は、光軸Ｌ１１方向、換言すると近接離反方向Ｘに延びるように、好ましくはグリップラック１１１の短手方向、換言すると近接離反方向Ｘの全長にわたって形成されてもよい。
【０１１９】
前述のように本実施の形態によれば、グリップラック１１１に突起部１１３を形成することによって、第１レンズホルダ１１２と第２レンズホルダ６４との相対位置を調整するとき、グリップラック１１１の突起部１１３と第１レンズホルダ１１２とが摺動する。これによって摺動負荷の多くは、グリップラック１１１の突起部１１３と、突起部１１３が摺動する第１レンズホルダ１１２との間で負担され、第１レンズホルダ１１２と第２レンズホルダ６４との摺動部分の摺動負荷を軽減することができる。
【０１２０】
また第２レンズホルダ６４に設けられるグリップラック１１１の係止部８４は、送りねじ部材８０に噛合され、突起部１１３は第２レンズホルダ６４に支持されるので、第１レンズホルダ１１２と第２レンズホルダ６４との相対位置を調整し、第２レンズホルダ６４が第１レンズホルダ１１２の案内部６８に案内されるとき、第２レンズホルダ６４が第１レンズホルダ１１２の案内部６８に片当たりすることを防ぐことができる。これによって第１レンズホルダ１１２と第２レンズホルダ６４との摺動負荷を軽減することができる。これによって、第１レンズホルダ１１２と第２レンズホルダ６４とをさらに高精度に位置決めすることができ、さらに高精度に球面収差を調整、換言すると、さらに高精度に球面収差を補正することができる。
【０１２１】
図１６は、本発明の第７の実施の形態の光学調整装置１１５を簡略化して示す正面図である。本実施の形態の光学調整装置１１５は、第２の実施の形態の光学調整装置９３と構成が類似しているので、同一の構成については同一の参照符を付して説明を省略する。図１６では、光学調整装置１１５の特徴部分のみを示している。
【０１２２】
光学調整装置１１５では、送りねじ部材８０に噛合する一対の係止部、具体的には第１係止部１１７および第２係止部１１８が、送りねじ部材８０から離脱することを防止する離脱防止部１１９として、グリップラック１１６に設けられる。第１および第２係止部１１７，１１８は、グリップラック１１６に、Ｙ軸方向に間隔をあけて対向するように設けられる。第１および第２係止部１１７，１１８は、送りねじ部材８０をＹ軸方向両側から挟持するようにして、送りねじ部材８０に噛合する。
【０１２３】
前述のように本実施の形態によれば、グリップラック１１６に設けられる一対の係止部、具体的には第１係止部１１７および第２係止部１１８が、送りねじ部材８０を挟持するようにして、送りねじ部材８０に噛合する。これによって送りねじ部材８０が回転駆動しても、第１および第２係止部１１７，１１８が、送りねじ部材８０から離脱することを防止することができる。換言すると送りねじ部材の回転駆動によって、第１および第２係止部１１７，１１８と送りねじ部材８０との噛合状態が解除されてしまうことを防止することができる。
【０１２４】
したがって、第１および第２係止部１１７，１１８が装着されるグリップラック１１６、およびグリップラック１１６が装着される第２レンズホルダ６４に対して、駆動源７５の駆動力を伝達できなくなるという不具合の発生を防止することができる。これによって、球面収差の調整、換言すると球面収差の補正ができなくなるという不具合の発生を防止することができる。
【０１２５】
図１７は、本発明の第８の実施の形態の光学調整装置１２０を簡略化して示す正面図である。本実施の形態の光学調整装置１２０は、第２の実施の形態の光学調整装置９３と構成が類似しているので、同一の構成については同一の参照符を付して説明を省略する。図１７では、光学調整装置１２０の特徴部分のみを示している。
【０１２６】
光学調整装置１２０では、グリップラック１２１に設けられる係止部８４が送りねじ部材８０から離脱することを防止するための離脱防止部１２２が、グリップラック１２１に設けられる。離脱防止部１２２は、係止部８４、さらに具体的には係止部８４が装着される部分のグリップラック１２１に連接し、係止部８４に対向する位置まで延びて送りねじ部材８０を囲繞するように形成される囲い部１２３を含んで構成される。
【０１２７】
囲い部１２３は、たとえば金属製であり、グリップラック１２１と一体に形成される。囲い部１２３は、グリップラック１２１に連接する第１連接部１２４および第２連接部１２５を含む。第１連接部１２４は、グリップラック１２１における係止部８４が装着される部分からさらにＹ軸方向他方、具体的には第１レンズホルダ７３から離反する方向に延びた部分において９０度の曲げ加工を受けて鉛直下方、換言するとＺ軸方向一方、具体的にはベース８８に近接する方向に延びた部分である。第２連接部１２５は、第１連接部１２４に連なり、第１連接部１２４のＺ軸方向一端部でさらに９０度の曲げ加工を受けて水平方向、換言するとＹ軸方向一方、具体的には第１レンズホルダ７３に近接する方向に延びる部分であって、係止部８４に対向するように設けられる。
【０１２８】
したがって囲い部１２３は、光軸Ｌ１１に対して垂直な断面形状、換言すると近接離反方向Ｘに対して垂直な断面形状が略Ｌ字状に形成される。囲い部１２３に、グリップラック１２１の係止部８４が装着される部分を付加した部分は、光軸Ｌ１１に対して垂直な断面形状、換言すると近接離反方向Ｘに対して垂直な断面形状が略Ｕ字状に形成され、送りねじ部材８０を、送りねじ部材８０のＺ軸方向両側およびＹ軸方向他方側から囲繞することができる。
【０１２９】
前述のような囲い部１２３を設けることによって、第２連接部１２５が、係止部８４が送りねじ部材８０から外れにくくするためのストッパとして作用するので、囲い部１２３が離脱防止部１２２として機能する。本実施の形態では、係止部８４が送りねじ部材８０から外れない、換言すると係止部８４と送りねじ部材８０との噛合状態が解除されない範囲のクリアランスを設けている。これによって、第１レンズホルダ７３と第２レンズホルダ６４との摺動部分に異常な負荷がかかった場合に、または駆動源７５が制御範囲を外れる動作をした場合に、第２連接部１２５と送りねじ部材８０とが当接してロック状態を起こさないようにしている。
【０１３０】
前述のように本実施の形態によれば、囲い部１２３を設けることによって、係止部８４が、送りねじ部材８０から離脱することを確実に防止することができる。これによって、グリップラック１２１が装着される第２レンズホルダ６４に対して駆動源７５の駆動力を伝達できなくなるという不具合、すなわち球面収差の調整、換言すると球面収差の補正ができなくなるという不具合の発生を確実に防止することができる。
【０１３１】
図１８は、光ピックアップ装置１３０の構成を簡略化して示す図である。光ピックアップ装置１３０は、光を発する光源１３１と、光学調整装置５０と、立上げミラー１３２と、対物レンズ１３３とを含んで構成される。光ピックアップ装置１３０は、光記録媒体である光ディスク１３４に情報を書込む処理および光ディスク１３４から情報を読出す処理の少なくともいずれか一方の処理をするときに用いられる。
【０１３２】
光源１３１は、たとえば半導体レーザ素子によって実現される。光学調整装置５０は、前述のように凹レンズ５１と凸レンズ５２との相対位置を調整することによって、光学系の球面収差を高精度に調整、換言すると球面収差を高精度に補正することができる。立上げミラー１３２は、光源１３１から発せられて光学調整装置５０を通過した光の経路を９０度屈曲させて、対物レンズ１３３に入射させる。対物レンズ１３３は、集光系であり、立上げミラー１３２で屈曲されて入射する光を集光し、光ディスク１３４の情報記録面に集光させる。
【０１３３】
前述のように本実施の形態によれば、光学調整装置５０を備える光ピックアップ装置１３０では、光学調整装置５０に設けられる駆動源７５の駆動力が、送りねじ部材８０およびグリップラック８１を介して第２レンズホルダ６４に伝達される。これによって第２レンズホルダ６４が、第１レンズホルダ７３に対して変位することができるので、凹レンズ５１と凸レンズ５２との相対位置を調整することができ、光学系の球面収差を調整、換言すると球面収差を補正することができる光ピックアップ装置を実現することができる。
【０１３４】
図１８では、理解を容易にするために、光学調整装置５０が備えられる光ピックアップ装置１３０の構成について述べたが、前述の第２〜第８の実施の形態の光学調整装置９３，９５，１００，１０５，１１０，１１５，１２０のうちいずれか１つの光学調整装置が備えられる光ピックアップ装置であっても、本実施の形態と同様に実施することができ、同様の効果を得ることができる。
【０１３５】
図１９は、光学調整装置５０を組立てる組立装置１４０および組立装置１４０に載置される光学調整装置５０を示す正面図である。図２０は、光学調整装置５０を組立てる組立装置１４０において、組立装置１４０に載置される光学調整装置５０のグリップラック８１に予め定める範囲の押圧力が与えられている状態を示す組立装置１４０および光学調整装置５０を示す正面図である。光学調整装置５０を組立てる組立装置１４０には、組立冶具台１４１と、圧力センサ１４２と、押圧手段であるピン１４３を有するマイクロメータヘッド１４４と、表示部１４５と、固着手段１４６とを有する。光学調整装置５０の組立装置１４０によって、光学調整装置５０は組立てられる。
【０１３６】
ここでは、理解を容易にするために、組立装置１４０によって光学調整装置５０を組立てる場合について述べたが、前述の光学調整装置９５，１００，１０５，１１０，１１５，１２０も、組立装置１４０によって組立てることができる。
【０１３７】
図２１は、光学調整装置５０の組立方法の手順を示すフローチャートである。光学調整装置５０の組立方法の手順は、第２レンズホルダ６４、第１レンズホルダ７３、駆動源７５、グリップラック８１などの部材が整った状態で開始する。ステップｂ１では、ギア収納台８７に第１〜第４減速ギア７６〜７９、送りねじ部材８０および駆動源７５が組み込まれ、さらに第１レンズホルダ７３、第２レンズホルダ６４およびギア収納台８７が、ベース８８に位置決めされて配置される。ベース８８に、第１レンズホルダ７３、第２レンズホルダ６４およびギア収納台８７が配置されるとステップｂ２に進む。ステップｂ２では、ステップｂ１において、駆動源７５などが配置されているベース８８を、圧力センサ１４２に当接するように組立冶具台１４１に載置する。ベース８８が組立冶具台１４１に載置されるとステップｂ３に進む。
【０１３８】
ステップｂ３では、第２レンズホルダ６４の第１上面突起部５８および第２上面突起部５９に、グリップラック８１のラック孔８２および切り欠き８３を嵌入させ、グリップラック８１を、第２レンズホルダ６４と送りねじ部材８０とにわたって配置する。グリップラック８１が、第２レンズホルダ６４と送りねじ部材８０とにわたって配置されるとステップｂ４に進む。ステップｂ４では、圧力センサ１４２の表示部１４５の表示を零に設定する。圧力センサ１４２の表示部１４５の表示が零に設定されるとステップｂ５に進む。
【０１３９】
ステップｂ５では、マイクロメータヘッド１４４が回転され、マイクロメータヘッド１４４のピン１４３が、グリップラック８１と当接する。さらにマイクロメータヘッド１４４が回転することによって、グリップラック８１に対して送りねじ部材８０に近づく方向へ押圧力が与えられる。グリップラック８１は、山形部８５を有するように形成されることによって、グリップラック８１を弾発的に変形させる。グリップラック８１に押圧力が与えられると、圧力センサ１４２によってその押圧力が検知される。圧力センサ１４２によって予め定める範囲内の押圧力、たとえば１０ｇ以上２０ｇ以下の押圧力が検知されるまで、マイクロメータヘッド１４４は、グリップラック８１に押圧力を与える。圧力センサ１４２が、予め定める範囲内の押圧力を検知すると、マイクロメータヘッド１４４の回転を止めてステップｂ６に進む。
【０１４０】
ステップｂ６では、図２０に示されるように、ステップｂ５において、グリップラック８１に予め定める範囲内の押圧力が与えられ、グリップラック８１が弾発的に変形している状態で、接着剤である固着手段１４６によって、グリップラック８１のラック孔８２および切り欠き８３と、第２レンズホルダ６４の第１上面突起部５８および第２上面突起部５９とが接着部１４７で固着される。固着手段１４６によって固着されると、光学調整装置５０の組立方法の手順は終了する。前述したステップｂ１およびステップｂ２は、配置工程に相当する。またステップｂ３〜ステップｂ６は、固着工程に相当する。
【０１４１】
図２１に示すフローチャートでは、理解を容易にするために、光学調整装置５０の組立方法の手順について示しているが、前述の光学調整装置９３，９５，１００，１０５，１１０，１１５，１２０も、図２１のフローチャートに示される手順と同様の手順に従って組立てられる。
【０１４２】
本実施の形態では、マイクロメータヘッド１４４によって、グリップラック８１に与えられる予め定める範囲内の押圧力を、１０ｇ以上２０ｇ以下に設定する。予め定める範囲内の押圧力が１０ｇ未満の場合、グリップラック８１の係止部８４と、送りねじ部材８０との噛み合いが弱くなる。したがって駆動源７５の駆動にともなって、送りねじ部材８０が回転し、グリップラック８１および第２レンズホルダ６４が第１レンズホルダ７３に対して近接離反方向Ｘへ変位する場合に、外部からの衝撃などによって、グリップラック８１の係止部８４と送りねじ部材８０との噛合状態が解除され、位置ずれが生じる可能性がある。
【０１４３】
また予め定める範囲内の押圧力が２０ｇを超える場合、グリップラック８１の係止部８４と、送りねじ部材８０との噛み合いが強くなる。したがって駆動源７５の駆動にともなって、送りねじ部材８０が回転し、グリップラック８１および第２レンズホルダ６４が第１レンズホルダ７３に対して近接離反方向Ｘへ変位する場合に、グリップラック８１の係止部８４と、送りねじ部材８０との摩擦力が大きくなり、グリップラック８１の係止部８４および送りねじ部材８０が噛合している部分を損傷する。また第２レンズホルダ６４の凸部５７の周方向両端部６３の送りねじ部材８０側の端部と、第１レンズホルダ７３の略Ｃ字状の案内部６８の周方向両端部の送りねじ部材８０側の端部とが、摩擦力によって損傷する可能性がある。
【０１４４】
したがってグリップラック８１に与えられる予め定める範囲内の押圧力を、１０ｇ以上２０ｇ以下に設定することによって、外部からの衝撃などによって、グリップラック８１の係止部８４と送りねじ部材８０との噛合状態が解除されることを防ぎ、またグリップラック８１の係止部８４、送りねじ部材８０、第２レンズホルダ６４の凸部５７および第１レンズホルダ７３の案内部６８の損傷を防ぐことができる。
【０１４５】
図２２は、図２０に示される光学調整装置５０の組立装置１４０において、マイクロメータヘッド１４４とグリップラック８１とが当接している部分を拡大して示す正面図である。光学調整装置５０には、グリップラック８１が、予め定める範囲の押圧力が与えられることによって、弾発的に変形されるよう構成されている。したがってグリップラック８１と、第２レンズホルダ６４の凸部５７との間には、グリップラック８１に予め定める範囲の押圧力が与えられた場合でも、弾発的に変形できるように、隙間が設けられる。たとえば押圧力が２０ｇ与えられる場合でも、弾発的に変形できる隙間が設けられている場合に、予め定める範囲の押圧力を１５ｇに設定すると、１５ｇの押圧力分のみ弾発的に変位する。したがって光学調整装置５５は、グリップラック８１と、第２レンズホルダ６４の凸部５７との間に隙間が生じるよう構成されている。
【０１４６】
前述のようにグリップラック８１が、第２レンズホルダ６４と送りねじ部材８０とにわたって配置され、またグリップラック８１に設けられる係止部８４が、送りねじ部材８０と噛合するように設けられる。さらにグリップラック８１は、予め定める範囲内の当接力で弾発的に送りねじ部材８０に当接するように設けられる。これによってグリップラック８１の係止部８４と送りねじ部材８０とが、予め定める範囲内の当接力で、噛合することができる。したがって駆動源７５の駆動力によって、送りねじ部材８０が回転駆動して、グリップラック８１が変位する場合において、グリップラック８１は、送りねじ部材８０と一定の当接力を保持しつつ、送りねじ部材８０の回転にともなって、グリップラック８１を変位させることができる。したがって外部からの衝撃などによって送りねじ部材８０とグリップラック８１との噛合状態が解除され、位置ずれが生じることを防止することができる。また送りねじ部材８０とグリップラック８１との当接力が大きすぎることによって、グリップラック８１と送りねじ部材８０との間に摩擦力が生じて、各部材が損傷することを防ぐことができ、信頼性の高い光学調整装置５５を実現することができる。
【０１４７】
また駆動源７５の駆動力が、送りねじ部材８０を介してグリップラック８１に伝達され、グリップラック８１は、送りねじ部材８０と一定の当接力を保持しつつ、送りねじ部材８０の回転にともなって、グリップラック８１は変位することができ、第２レンズホルダ６４を第１レンズホルダ７３に対して変位させて、光ピックアップ装置の光学系の球面収差を調整することができる。
【０１４８】
配置工程および固着工程によって、送りねじ部材８０に近づく方向へ予め定める範囲内の押圧力をグリップラック８１に与えて、グリップラック８１を弾発的に変形させている状態で、グリップラック８１を第１レンズホルダ７３および第２レンズホルダ６４のいずれか一方、本実施の形態では第２レンズホルダ６４に固着することができる。これによってグリップラック８１の係止部８４と送りねじ部材８０とが、予め定める範囲内の当接力を保持する状態で噛合することができる光学調整装置５０を提供することができる。
【０１４９】
また光学調整装置５０の組立装置１４０には、グリップラック８１を送りねじ部材８０に近づける方向へ予め定める範囲内の押圧力をグリップラック８１に与えてグリップラック８１を弾発的に変形させる押圧手段であるマイクロメータヘッド１４４が設けられている。固着手段１４６は、マイクロメータヘッド１４４よって弾発的に変形されるグリップラック８１を、この状態で第２レンズホルダ６４に固着することができる。これによってグリップラック８１に対して、送りねじ部材８０に近づける方向へ予め定める押圧力を与え、グリップラック８１を弾発的に変形させることができる。またグリップラック８１と送りねじ部材８０との間の当接力を一定に保持することができる光学調整装置５０を提供することができる。
【０１５０】
また第２レンズホルダ６４の円筒状の本体部５６が、第１レンズホルダ７３の略Ｃ字状に形成される案内部６８に嵌まり込むように設けられるので、第２レンズホルダ６４を第１レンズホルダ７３に対して変位させるときに、特徴的な大きな力がそれぞれのレンズホルダに与えられることがないので、磨耗などによるガタツキを防止することができる。また第２レンズホルダ６４は、第１レンズホルダ７３の案内部６８に嵌まり込み、近接離反方向Ｘへ案内されるので、簡単な構成で、第２レンズホルダ６４が、第１レンズホルダ７３に対して変位可能な光学調整装置５０を実現することができる。
【０１５１】
また第２レンズホルダ６４の凸部５７が、円筒状の本体部５６の上側、換言すると、立上げミラー５３から対物レンズ５４へ向かう方向（以下、単に「高さ方向」という）へ形成されるように第２レンズホルダ６４を形成し、第１レンズホルダ７３に第２レンズホルダ６４が嵌め込まれる。また光学調整装置５０の高さ方向の寸法を、立上げミラー５３から対物レンズ５４までの寸法よりも小さく構成されることによって、たとえば近接離反方向Ｘおよび立上げミラー５３から対物レンズ５４へ向かう方向にそれぞれ垂直な方向（以下、単に「Ｙ軸方向」という）へ凸部５７を形成するような場合と比べて、Ｙ軸方向の寸法を小さくすることができ、光学調整装置を小形化することができる。
【０１５２】
前述の実施の形態は、本発明の例示に過ぎず、構成を変更することができる。たとえば、凸レンズ５２は、２枚１群で構成されているが、複数枚または１枚のレンズで構成されてもよい。また第１レンズホルダ７３に凹レンズ５１を載置させ、第２レンズホルダ６４に凸レンズ５２を載置させる構成をとってもよい。またねじ状部材は、ウォームで構成されてもよい。またグリップラックは、第１レンズホルダと送りねじ部材とにわたって設けられてもよい。また第１の実施の形態において、遮蔽板９１はグリップラック８１に一体形成されているけれども、遮蔽板９１がグリップラック８１とは別体に設けられてもよい。
【図面の簡単な説明】
【０１５３】
【図１】本発明の第１の実施の形態の光学調整装置５０を示す斜視図である。
【図２】光学調整装置５０を示す分解斜視図である。
【図３】光学調整装置５０を示す平面図である。
【図４】光学調整装置５０を示す正面図である。
【図５】情報記録再生装置１３５の構成を簡略化して示すブロック図である。
【図６】第２レンズホルダ６４の位置調整に関する制御部１３７の処理手順を示すフローチャートである。
【図７】本発明の第２の実施の形態の光学調整装置９３を簡略化して示す正面図である。
【図８】図７のセクションＩＸを拡大して示す正面図である。
【図９】図７に示す光学調整装置９３を簡略化して示す平面図である。
【図１０】本発明の第３の実施の形態の光学調整装置９５を簡略化して示す平面図である。
【図１１】第１レンズホルダ９６と第２レンズホルダ９７との間にクリアランスが生じたときの光学調整装置９５を示す平面図である。
【図１２】本発明の第４の実施の形態の光学調整装置１００を簡略化して示す平面図である。
【図１３】光学調整装置１００を簡略化して示す正面図である。
【図１４】本発明の第５の実施の形態の光学調整装置１０５を簡略化して示す正面図である。
【図１５】本発明の第６の実施の形態の光学調整装置１１０を簡略化して示す正面図である。
【図１６】本発明の第７の実施の形態の光学調整装置１１５を簡略化して示す正面図である。
【図１７】本発明の第８の実施の形態の光学調整装置１２０を簡略化して示す正面図である。
【図１８】光ピックアップ装置１３０の構成を簡略化して示す図である。
【図１９】光学調整装置５０を組立てる組立装置１４０および組立装置１４０に載置される光学調整装置５０を示す正面図である。
【図２０】光学調整装置５０を組立てる組立装置１４０において、組立装置１４０に載置される光学調整装置５０のグリップラック８１に予め定める範囲の押圧力が与えられている状態を示す組立装置１４０および光学調整装置５０を示す正面図である。
【０１５４】
【図２１】光学調整装置５０の組立方法の手順を示すフローチャートである。
【図２２】図２０に示される光学調整装置５０の組立装置１４０において、マイクロメータヘッド１４４とグリップラック８１とが当接している部分を拡大して示す正面図である。
【図２３】従来の技術の光ピックアップ装置１の光学的配置を示す図である。
【図２４】従来の技術の光ピックアップ装置１を簡略化して示す斜視図である。
【図２５】第１の従来の技術の光学調整装置１０を示す斜視図である。
【図２６】光学調整装置１０を示す分解斜視図である。
【図２７】光学調整装置１０を示す平面図である。
【図２８】光学調整装置１０を示す正面図である。
【符号の説明】
【０１５５】
５０，９３，９５，１００，１０５，１１０，１１５，１２０  光学調整装置
５１  凹レンズ
５２  凸レンズ
５３  立上げミラー
５４  対物レンズ
５６  本体部
５７  凸部
５８  第１上面突起部
５９  第２上面突起部
６１  ねじ孔
６２  ねじ部材
６３  周方向両端部
６４，９７  第２レンズホルダ
６６  孔部
６７  保持部
６８  案内部
６９  基部
７０  立上がり部
７１  突出部
７２  凹み溝
７３，９６，１０１，１１２  第１レンズホルダ
７５  駆動源
７６  第１減速ギア
７７  第２減速ギア
７８  第３減速ギア
７９  第４減速ギア
８０  送りねじ部材
８１，１１１，１１６，１２１  グリップラック
８２  ラック孔
８３  切り欠き
８４  係止部
８５  山形部
９０  ギア収納台
９１  ベース
９８  コーナ部分
１０２，１０６  摺動部分
１１３  突起部
１１７  第１係止部
１１８  第２係止部
１１９，１２２  離脱防止部
１２３  囲い部
１２４  第１連接部
１２５  第２連接部
１３０  光ピックアップ装置
１３１  光源
１３２  立上げミラー
１３３  対物レンズ
１３４  光ディスク
１３５  情報記録再生装置
１４０  組立装置
１４１  組立治具台
１４２  圧力センサ
１４３  ピン
１４４  マイクロメータヘッド
１４５  表示部
１４６  固着手段
１４７  接着部
【図１】
0004460529.tif 000002
【図２】
0004460529.tif 000003
【図３】
0004460529.tif 000004
【図４】
0004460529.tif 000005
【図５】
0004460529.tif 000006
【図６】
0004460529.tif 000007
【図７】
0004460529.tif 000008
【図８】
0004460529.tif 000009
【図９】
0004460529.tif 000010
【図１０】
0004460529.tif 000011
【図１１】
0004460529.tif 000012
【図１２】
0004460529.tif 000013
【図１３】
0004460529.tif 000014
【図１４】
0004460529.tif 000015
【図１５】
0004460529.tif 000016
【図１６】
0004460529.tif 000017
【図１７】
0004460529.tif 000018
【図１８】
0004460529.tif 000019
【図１９】
0004460529.tif 000020
【図２０】
0004460529.tif 000021
【図２１】
0004460529.tif 000022
【図２２】
0004460529.tif 000023
【図２３】
0004460529.tif 000024
【図２４】
0004460529.tif 000025
【図２５】
0004460529.tif 000026
【図２６】
0004460529.tif 000027
【図２７】
0004460529.tif 000028
【図２８】
0004460529.tif 000029